(57)【要約】【課題】内燃機関の部品の増加を抑制しつつ、高回転高出力を実現することができる自動二輪車を提供すること。【解決手段】自動二輪車は、車体フレームと、クランク軸と、ドライブ軸と、クランク軸およびドライブ軸の上方に配置された上クランクケースと、クランク軸およびドライブ軸の下方に配置された下クランクケース６０と、上クランクケースの上方に配置され、左右に配列された複数のシリンダを備えるシリンダボディと、を備える内燃機関と、を備え、下クランクケース６０は、左右に延びる棒状の締結具が挿入される孔１３２、１３４が形成されかつ締結具により車体フレームに固定される左ボス部１３０および右ボス部１３４を備え、下クランクケース６０と一体に形成され、ドライブ軸に供給されるオイルが流通する左右方向に延びるオイル通路１６０を備える。【選択図】図２６
2014227925.tif 000002
【特許請求の範囲】
【請求項１】
車体フレームと、
クランク軸と、前記クランク軸のトルクが伝達されるドライブ軸と、前記クランク軸および前記ドライブ軸の上方に配置された上クランクケースと、前記クランク軸および前記ドライブ軸の下方に配置され、前記上クランクケースに結合された下クランクケースと、前記上クランクケースの上方に配置され、左右に配列された複数のシリンダを備えるシリンダボディと、を備える内燃機関と、を備え、
前記上クランクケースおよび前記下クランクケースの少なくとも一方は、左右に延びる棒状の締結具が挿入される孔が形成されかつ前記締結具により前記車体フレームに固定されるボス部を備え、
前記上クランクケースまたは前記下クランクケースと一体に形成され、前記ドライブ軸に供給されるオイルが流通する左右方向に延びるオイル通路を備える、自動二輪車。
【請求項２】
前記オイル通路が形成された前記上クランクケースまたは前記オイル通路が形成された前記下クランクケースは、前記上クランクケースの外壁または前記下クランクケースの外壁から外方に突出し、前記ボス部が形成されたリブを備える、請求項１に記載の自動二輪車。
【請求項３】
前記オイル通路は、車両背面視において、前記オイル通路の一部と前記リブの一部とが重なるように配置されている、請求項２に記載の自動二輪車。
【請求項４】
ヘッドパイプを備え、
前記車体フレームは、前記ヘッドパイプから後斜め下向きに延びる左メインフレームと、前記ヘッドパイプから後斜め下向きに延びかつ前記左メインフレームの右方に位置する右メインフレームとを有し、
前記上クランクケースおよび前記下クランクケースの少なくとも一方は、前記左メインフレームと前記右メインフレームとの間に配置され、前記締結具により前記左メインフレームに固定される左ボス部と、前記左メインフレームと前記右メインフレームとの間に配置され、前記締結具により前記右メインフレームに固定される右ボス部と、を有し、
車両背面視において、前記オイル通路の少なくとも一部は、前記左ボス部と前記右ボス部との間に位置する、請求項２または３に記載の自動二輪車。
【請求項５】
前記オイル通路は、前記上クランクケースまたは前記下クランクケースの外表面の一部を構成する第１外壁を備えている、請求項２から４のいずれか一項に記載の自動二輪車。
【請求項６】
前記上クランクケースおよび前記下クランクケースは、前記クランク軸を収容するクランク室と、前記ドライブ軸を収容するドライブ室と、を備え、
前記オイル通路は、前記上クランクケースまたは前記下クランクケースの内方に位置し、前記ドライブ室の一部を構成する第２外壁を備えている、請求項２から５のいずれか一項に記載の自動二輪車。
【請求項７】
前記ドライブ室の左右方向の長さは、前記クランク室の左右方向の長さよりも短く、
前記オイル通路の第２外壁は、前記下クランクケースの前記ドライブ室の一部を構成する、請求項６に記載の自動二輪車。
【請求項８】
前記ドライブ室は、前壁と、前記前壁から後方に延びる左壁と、前記前壁から後方に延びる右壁と、前記左壁と前記右壁とを連結する後壁と、を有し、
前記後壁には、前記後壁から後方かつ上下方向に延び、前記ボス部が備えられた前記リブが形成され、
前記オイル通路は、前記リブと交差している、請求項６または７に記載の自動二輪車。
【請求項９】
前記オイル通路は、車両側面視において、前記ボス部の中心と前記オイル通路の中心との距離が前記ボス部の中心と前記ドライブ軸の中心との距離よりも短くなるように配置されている、請求項１から８のいずれか一項に記載の自動二輪車。
【請求項１０】
前記オイル通路は、車両側面視において、前記オイル通路の中心が前記ボス部の中心よりも前方かつ前記ドライブ軸の中心よりも後方に位置するように配置されている、請求項１から９のいずれか一項に記載の自動二輪車。
【請求項１１】
前記ドライブ軸に設けられた第１ギアを備え、
前記オイル通路は、車両平面視において、前記ドライブ軸および前記第１ギアの少なくともいずれかと重なるように配置されている、請求項１から１０のいずれか一項に記載の自動二輪車。
【請求項１２】
前記クランク軸よりも後方かつ前記ドライブ軸よりも前方に配置されたメイン軸と、前記メイン軸に設けられ、前記第１ギアと噛み合う第２ギアと、を備え、
車両側面視において、前記オイル通路は、前記第１ギアおよび前記第２ギアと重なっていない、請求項１１に記載の自動二輪車。
【請求項１３】
前記オイル通路は、車両平面視において、前記オイル通路の一部と前記ボス部の一部とが重なるように配置されている、請求項１から１２のいずれか一項に記載の自動二輪車。
【請求項１４】
前記上クランクケースおよび前記下クランクケースは、前記ドライブ軸を支持するドライブ軸支持面を備え、
前記ドライブ軸支持面には、オイルが流通するオイル溝が形成され、
前記上クランクケースまたは前記下クランクケースと一体に形成され、前記オイル通路と前記オイル溝とを連通する連通路を備えている、請求項１から１３のいずれか一項に記載の自動二輪車。
【請求項１５】
前記オイル通路は、前記下クランクケースと一体に形成され、車両側面視において、前記オイル通路の中心が前記ボス部の中心よりも上方かつ前記ドライブ軸の中心よりも下方に位置するように配置されている、請求項１から１４のいずれか一項に記載の自動二輪車。
【発明の詳細な説明】
【技術分野】
【０００１】
本発明は、自動二輪車に関する。
【背景技術】
【０００２】
従来から、自動二輪車等の内燃機関において、クランク軸を収容するクランクケースやクランクケースの上方に配置されたシリンダボディおよびシリンダヘッド内に形成されたオイル通路内をオイルが循環している。クランクケース内には、クランク軸のトルクが伝達されるドライブ軸が配置されており、オイルを循環させてドライブ軸を潤滑および冷却する必要がある。特許文献１および２には、クランクケース内に形成されたオイル通路からドライブ軸にオイルを供給する技術が開示されている。
【先行技術文献】
【特許文献】
【０００３】
【特許文献１】特開２００８−１５１２７５号公報
【特許文献２】特開２０１０−７８４７号公報
【発明の概要】
【発明が解決しようとする課題】
【０００４】
しかしながら、特許文献１に記載されているように、上クランクケースと下クランクケースとから構成されるクランクケースでは、クランクケース内のレイアウトの制約が大きく、クランクケースの内部に左右方向に延びるオイル通路を形成することが困難である。このため、クランクケースとは別部材のオイルパイプを用いてドライブ軸等にオイルを供給しているが、別部材を設けるためコストが増大する虞がある。また、特許文献２に記載されているように、左クランクケースと右クランクケースとから構成されるクランクケースでは、左クランクケースと右クランクケースとを組み合わせることで左右方向に延びるオイル通路を形成することができるが、並列２気筒以上の内燃機関には対応していないため高回転高出力を実現することができない。
【０００５】
本発明はかかる点に鑑みてなされたものであり、その目的は、内燃機関の部品の増加を抑制しつつ、高回転高出力を実現することができる自動二輪車を提供することである。
【課題を解決するための手段】
【０００６】
本発明に係る自動二輪車は、車体フレームと、クランク軸と、前記クランク軸のトルクが伝達されるドライブ軸と、前記クランク軸および前記ドライブ軸の上方に配置された上クランクケースと、前記クランク軸および前記ドライブ軸の下方に配置され、前記上クランクケースに結合された下クランクケースと、前記上クランクケースの上方に配置され、左右に配列された複数のシリンダを備えるシリンダボディと、を備える内燃機関と、を備え、前記上クランクケースおよび前記下クランクケースの少なくとも一方は、左右に延びる棒状の締結具が挿入される孔が形成されかつ前記締結具により前記車体フレームに固定されるボス部を備え、前記上クランクケースまたは前記下クランクケースと一体に形成され、前記ドライブ軸に供給されるオイルが流通する左右方向に延びるオイル通路を備える。
【０００７】
本発明に係る自動二輪車では、ドライブ軸に供給されるオイルが流通するオイル通路は、シリンダボディの下方に位置する上クランクケースまたは下クランクケースと一体に形成されている。このため、オイル通路を別部材で形成する必要が無く、部品の削減によるコストダウンおよび軽量化が実現される。また、シリンダボディは、左右に配置された複数のシリンダを備えているため、高回転高出力を実現することができる。
【０００８】
本発明の一態様によれば、前記オイル通路が形成された前記上クランクケースまたは前記オイル通路が形成された前記下クランクケースは、前記上クランクケースの外壁または前記下クランクケースの外壁から外方に突出し、前記ボス部が形成されたリブを備える。
【０００９】
このように、リブが設けられていることによって、ボス部にねじれが発生することは防止される。
【００１０】
本発明の一態様によれば、前記オイル通路は、車両背面視において、前記オイル通路の一部と前記リブの一部とが重なるように配置されている。
【００１１】
これにより、内燃機関の高さ方向の拡大を抑制することができる。
【００１２】
本発明の一態様によれば、ヘッドパイプを備え、前記車体フレームは、前記ヘッドパイプから後斜め下向きに延びる左メインフレームと、前記ヘッドパイプから後斜め下向きに延びかつ前記左メインフレームの右方に位置する右メインフレームとを有し、前記上クランクケースおよび前記下クランクケースの少なくとも一方は、前記左メインフレームと前記右メインフレームとの間に配置され、前記締結具により前記左メインフレームに固定される左ボス部と、前記左メインフレームと前記右メインフレームとの間に配置され、前記締結具により前記右メインフレームに固定される右ボス部と、を有し、車両背面視において、前記オイル通路の少なくとも一部は、前記左ボス部と前記右ボス部との間に位置する。
【００１３】
これにより、左ボス部が形成されたリブおよび右ボス部が形成されたリブの強度が高くなる。
【００１４】
本発明の一態様によれば、前記オイル通路は、前記上クランクケースまたは前記下クランクケースの外表面の一部を構成する第１外壁を備えている。
【００１５】
このように、オイル通路の第１外壁と上クランクケースまたは下クランクケースの外表面の一部とが同じ部材によって構成されるため、これらの部材が異なる部材である場合と比べて、上クランクケースまたは下クランクケース内のスペースが大きくなる。これにより、部材のレイアウトの自由度が向上する。
【００１６】
本発明の一態様によれば、前記上クランクケースおよび前記下クランクケースは、前記クランク軸を収容するクランク室と、前記ドライブ軸を収容するドライブ室と、を備え、
前記オイル通路は、前記上クランクケースまたは前記下クランクケースの内方に位置し、前記ドライブ室の一部を構成する第２外壁を備えている。
【００１７】
このように、オイル通路の第２外壁とドライブ室の一部とが同じ部材によって構成されるため、これらの部材が異なる部材である場合と比べて、上クランクケースまたは下クランクケース内のスペースが大きくなる。これにより、部材のレイアウトの自由度が向上する。
【００１８】
本発明の一態様によれば、前記ドライブ室の左右方向の長さは、前記クランク室の左右方向の長さよりも短く、前記オイル通路の第２外壁は、前記下クランクケースの前記ドライブ室の一部を構成する。
【００１９】
これにより、オイル通路をコンパクト化することができる。
【００２０】
本発明の一態様によれば、前記ドライブ室は、前壁と、前記前壁から後方に延びる左壁と、前記前壁から後方に延びる右壁と、前記左壁と前記右壁とを連結する後壁と、を有し、前記後壁には、前記後壁から後方かつ上下方向に延び、前記ボス部が備えられた前記リブが形成され、前記オイル通路は、前記リブと交差している。
【００２１】
ボス部が備えられたリブは、オイル通路と交差しているため、リブの強度は増加する。これにより、ボス部の剛性が高まる。
【００２２】
本発明の一態様によれば、前記オイル通路は、車両側面視において、前記ボス部の中心と前記オイル通路の中心との距離が前記ボス部の中心と前記ドライブ軸の中心との距離よりも短くなるように配置されている。
【００２３】
このように、オイル通路が上クランクエースまたは下クランクケースの限られた空間にコンパクトに配置されるため、内燃機関の大型化が抑制される。
【００２４】
本発明の一態様によれば、前記オイル通路は、車両側面視において、前記オイル通路の中心が前記ボス部の中心よりも前方かつ前記ドライブ軸の中心よりも後方に位置するように配置されている。
【００２５】
このように、オイル通路が上クランクエースまたは下クランクケースの限られた空間にコンパクトに配置されるため、内燃機関の大型化が抑制される。
【００２６】
本発明の一態様によれば、前記ドライブ軸に設けられた第１ギアを備え、前記オイル通路は、車両平面視において、前記ドライブ軸および前記第１ギアの少なくともいずれかと重なるように配置されている。
【００２７】
これにより、内燃機関の大型化が抑制されると共に、オイル通路を除く部材のレイアウトの自由度が向上される。また、別部材で形成されたオイル通路をクランク軸とドライブ軸との間に配置する必要が無いため、クランク軸とドライブ軸との距離を短くすることができる。
【００２８】
本発明の一態様によれば、前記クランク軸よりも後方かつ前記ドライブ軸よりも前方に配置されたメイン軸と、前記メイン軸に設けられ、前記第１ギアと噛み合う第２ギアと、を備え、車両側面視において、前記オイル通路は、前記第１ギアおよび前記第２ギアと重なっていない。
【００２９】
これにより、第１ギアおよび第２ギアの形状に関わらずオイル通路を配置することができるので、オイル通路のレイアウトの自由度が向上される。
【００３０】
本発明の一態様によれば、前記オイル通路は、車両平面視において、前記オイル通路の一部と前記ボス部の一部とが重なるように配置されている。
【００３１】
これにより、内燃機関の大型化が抑制される。
【００３２】
本発明の一態様によれば、前記上クランクケースおよび前記下クランクケースは、前記ドライブ軸を支持するドライブ軸支持面を備え、前記ドライブ軸支持面には、オイルが流通するオイル溝が形成され、前記上クランクケースまたは前記下クランクケースと一体に形成され、前記オイル通路と前記オイル溝とを連通する連通路を備えている。
【００３３】
このように、ドライブ軸支持面にオイル溝を形成することができるため、オイル溝に絞りを設けてオイルの供給量を簡単に調整することができる。
【００３４】
本発明の一態様によれば、前記オイル通路は、前記下クランクケースと一体に形成され、車両側面視において、前記オイル通路の中心が前記ボス部の中心よりも上方かつ前記ドライブ軸の中心よりも下方に位置するように配置されている。
【００３５】
このように、ボス部がドライブ軸およびオイル通路よりも下方に位置しているため、下クランクケースの車体フレームに対する安定性が向上する。
【発明の効果】
【００３６】
以上のように、本発明によれば、内燃機関の部品の増加を抑制しつつ、高回転高出力を実現することができる自動二輪車を提供することができる。
【図面の簡単な説明】
【００３７】
【図１】本発明の一実施形態に係る自動二輪車を示す左側面図である。
【図２】本発明の一実施形態に係る左メインフレームと内燃機関を示す左側面図である。
【図３】図２中のＩＩＩ‐ＩＩＩ線に沿う断面図である。
【図４】図２中のＩＶ‐ＩＶ線に沿う断面図である。
【図５】本発明の一実施形態に係る内燃機関の断面図である。
【図６】本発明の一実施形態に係るクランクケースの左側面図である。
【図７】本発明の一実施形態に係る上クランクケースの底面図である。
【図８】本発明の一実施形態に係る下クランクケースの平面図である。
【図９】本発明の一実施形態に係る内燃機関の一部を示す断面図である。
【図１０】本発明の一実施形態に係る内燃機関の一部を示す断面図である。
【図１１】本発明の一実施形態に係るシリンダヘッドの底面図である。
【図１２】本発明の一実施形態に係るシリンダヘッドの平面図である。
【図１３】本発明の一実施形態に係る内燃機関のカムチェーン室を示す右側面図である。
【図１４】本発明の一実施形態に係るクランクケースの右側面図である。
【図１５】本発明の一実施形態に係るクランクケースの斜視図である。
【図１６】図１４中のＸＶＩ‐ＸＶＩ線に沿う断面図である。
【図１７】図６中のＸＶＩＩ‐ＸＶＩＩ線に沿う断面図である。
【図１８】本発明の一実施形態に係るシリンダヘッド周辺のオイルの流れを示す模式図である。
【図１９】本発明の一実施形態に係るシリンダボディの取付面を示す平面図である。
【図２０】本発明の一実施形態に係るクランクケースの正面図である。
【図２１】図１９中のＸＸＩ‐ＸＸＩ線に沿う断面図である。
【図２２】図１９中のＸＸＩＩ‐ＸＸＩＩ線に沿う断面図である。
【図２３】本発明の一実施形態に係る上クランクケースの斜視図である。
【図２４】本発明の一実施形態に係る下クランクケースの斜視図である。
【図２５】本発明の一実施形態に係るクランクケースの背面図である。
【図２６】本発明の一実施形態に係る下クランクケースの斜視図である。
【発明を実施するための形態】
【００３８】
以下、本発明の実施形態について説明する。図１に示すように、本実施形態に係る自動二輪車１は、オンロード型の自動二輪車１である。なお、本発明に係る自動二輪車はオンロード型の自動二輪車１に限定される訳ではない。本発明に係る自動二輪車は、いわゆるモペット型、オフロード型、またはスクータ型等の他の型式の自動二輪車であってもよい。
【００３９】
以下の説明において、特に断らない限り、前、後、左、右、上、下は、それぞれ自動二輪車１のシートに着座した乗員から見た前、後、左、右、上、下を意味するものとする。上、下は、それぞれ自動二輪車１が水平面上に停止しているときの鉛直方向の上、下を意味するものとする。図面に付した符号Ｆ、Ｒｅ、Ｌ、Ｒ、Ｕｐ，Ｄｎは、それぞれ前、後、左、右、上、下を表す。
【００４０】
図１に示すように、自動二輪車１は、ヘッドパイプ５と、ヘッドパイプ５に固定された車体フレーム２０とを備えている。ヘッドパイプ５には、ステアリングシャフト（図示せず）が支持され、ステアリングシャフトの上部にはハンドル７が設けられている。ステアリングシャフトの下部にはフロントフォーク９が設けられている。フロントフォーク９の下端部には、前輪１０が回転自在に支持されている。ヘッドパイプ５の後方には燃料タンク３が配置され、燃料タンク３の後方にシート１５が配置されている。燃料タンク３およびシート１５は、車体フレーム２０に支持されている。
【００４１】
車体フレーム２０は、ヘッドパイプ５から後斜め下向きに延びる左メインフレーム２２と、ヘッドパイプ５から後斜め下向きに延びかつ左メインフレーム２２の右方に位置する右メインフレーム３２（図３参照）とを有する。車体フレーム２０は、左メインフレーム２２の後方に配置され、ピポット軸３０を介して連結されている左リアアーム２４と、右メインフレーム３２の後方に配置され、ピポット軸３０を介して連結されている右リアアーム（図示せず）とを有する。左リアアーム２４の後端部２４Ａおよび右リアアームの後端部には、後輪１２が回転自在に支持されている。
【００４２】
自動二輪車１は、内燃機関４０を備えている。内燃機関４０は、左メインフレーム２２および右メインフレーム３２の下方に配置されている。内燃機関４０は、左メインフレーム２２および右メインフレーム３２に揺動不能に支持されている。具体的には、図２に示すように、左メインフレーム２２および右メインフレーム３２は、第１接続部２２Ａと、第１接続部２２Ａよりも後方に位置する第２接続部２２Ｂと、第２接続部２２Ｂよりも後方に位置する第３接続部２２Ｃと、第３接続部２２Ｃよりも下方に位置する第４接続部２２Ｄとを有する。第１接続部２２Ａにおいて、左メインフレーム２２および右メインフレーム３２は、後述のシリンダヘッド８０の接続部８０Ａ（図１３参照）と連結している。第２接続部２２Ｂにおいて、左メインフレーム２２および右メインフレーム３２は、シリンダヘッド８０の接続部８０Ｂ（図１８参照）と連結している。第３接続部２２Ｃにおいて、左メインフレーム２２および右メインフレーム３２は、上クランクケース５０のボス部１２０（図３参照）と連結している。第４接続部２２Ｄにおいて、左メインフレーム２２および右メインフレーム３２は、後述の下クランクケース６０の左ボス部１３０（図４参照）および右ボス部１３４（図４参照）と連結している。
【００４３】
図５に示すように、内燃機関４０は多気筒型のエンジンである。内燃機関４０は、左右方向に延びるクランク軸４２と、クランク軸４２よりも前方に位置するバランサ軸３８と、クランク軸４２よりも後方に位置するメイン軸１０８と、メイン軸１０８よりも後方に位置するドライブ軸１１８と、クランク軸４２のトルクが伝達されるクラッチ１００と、変速機１１０と、これらを収容するクランクケース４８（図１参照）とを備えている。クランクケース４８は、上クランクケース５０と、下クランクケース６０とから構成されている。図６に示すように、上クランクケース５０は、クランク軸４２、バランサ軸３８及びドライブ軸１１８の上方に配置されている。下クランクケース６０は、クランク軸４２、バランサ軸３８およびドライブ軸１１８の下方に配置され、上クランクケース５０と結合している。クランク軸４２の軸心４２Ｃとバランサ軸３８の軸心３８Ｃとドライブ軸１１８の軸心１１８Ｃとは同一直線Ｗ上に配置されている。メイン軸１０８は、バランサ軸３８およびクランク軸４２およびドライブ軸１１８よりも上方に配置されている。下クランクケース６０の下方には、内燃機関４０の内部を循環したオイルを回収するオイルパン１８（図１参照）が配置されている。下クランクケース６０とオイルパン１８とは結合している。図５に示すように、クランク軸４２は、左右方向（車幅方向）に延びている。クランク軸４２の右端部にはスプロケット４２Ｓが形成されている。クランク軸４２のうちスプロケット４２Ｓよりも左方の部分には、クランクギア４２Ｇが固定されている。
【００４４】
バランサ軸３８の右端部にはギア３８Ｇが固定されている。ギア３８Ｇは、クランク軸４２に固定されたクランクギア４２Ｇと噛み合っている。そのため、バランサ軸３８はクランク軸４２と連結している。バランサ軸３８はクランク軸４２により駆動される。
【００４５】
クラッチ１００は、クラッチハウジング１０２と、クラッチボス１０４とを備えている。クラッチハウジング１０２はギア１０６に連結されている。ギア１０６は、クランク軸４２に固定されたクランクギア４２Ｇと噛み合っている。そのため、クラッチ１００のクラッチハウジング１０２はクランク軸４２と連結している。クラッチボス１０４には、メイン軸１０８が固定されている。メイン軸１０８には複数のギア１０８Ｇが設けられ、ドライブ軸１１８には複数のギア１１８Ｇが設けられている。変速機１１０は、シフトドラム１１２およびシフトフォーク１１４を備えている。シフトフォーク１１４がギア１０８Ｇおよびギア１１８Ｇの少なくともいずれかを移動させることにより、互いに噛み合うギア１０８Ｇおよびギア１１８Ｇの組み合わせが変更される。これにより、変速比が変更される。ドライブ軸１１８の左端部には、スプロケット１１６が取り付けられている。スプロケット１１６と後輪１２（図１参照）とは、チェーン１１７によって連結されている。クランク軸４２のトルクは、チェーン１１７を介して後輪１２に伝達される。なお、ドライブ軸１１８から後輪１２に動力を伝達する機構はチェーン１１７に限らず、伝動ベルト、ドライブシャフト、歯車機構、または他の機構であってもよい。
【００４６】
図７および図８に示すように、上クランクケース５０および下クランクケース６０は、クランク軸４２を収容するクランク室４５と、クラッチ１００を収容するクラッチ室１０５と、変速機１１０を収容する変速機室１１５と、後述のカムチェーン４７を収容するカムチェーン室４６とを有している。変速機室１１５は、メイン軸１０８およびドライブ軸１１８を収容する。クランク室４５とクラッチ室１０５とは連通している。クランク室４５とクラッチ室１０５とは、第３シリンダ７３の後方において連通している。クラッチ室１０５は変速機室１１５の右方に位置している。変速機室１１５の左右方向の長さＨ１は、クランク室４５の左右方向の長さＨ２よりも短い。上記長さＨ１は変速機室１１５の左右方向の最も長い部分の長さを表し、上記長さＨ２はクランク室４５の左右方向の最も長い部分の長さを表す。
【００４７】
図１に示すように、内燃機関４０は、シリンダボディ７０と、シリンダヘッド８０と、シリンダヘッドカバー９５とを備えている。シリンダボディ７０は、上クランクケース５０から前斜め上方に延びている。シリンダヘッド８０は、シリンダボディ７０の上方に配置され、シリンダボディ７０に結合している。シリンダヘッドカバー９５は、シリンダヘッド８０の上方に配置され、シリンダヘッド８０の先端部に結合している。本実施形態では、シリンダボディ７０と上クランクケース５０とは一体的に成形されている。ただし、シリンダボディ７０と上クランクケース５０とは別体であってもよい。シリンダヘッド８０とシリンダボディ７０との間にガスケットが配置されていてもよい。
【００４８】
図９に示すように、シリンダボディ７０の内部には、第１シリンダ７１、第２シリンダ７２、および第３シリンダ７３が形成されている。内燃機関４０は、３気筒のエンジンである。第１シリンダ７１、第２シリンダ７２、および第３シリンダ７３は、左から右に向かって順に配置されている。第１シリンダ７１、第２シリンダ７２、および第３シリンダ７３の各々には、ピストン４３が収容されている。各ピストン４３は、コンロッド４４を介してクランク軸４２に接続されている。本実施形態の内燃機関４０は、３つのシリンダ７１〜７３を備える３気筒のエンジンであるが、１つのシリンダを備える単気筒のエンジンであってもよいし、２つまたは４つ以上のシリンダを備える多気筒のエンジンであってもよい。２つ以上のシリンダを備える多気筒のエンジンであることが好ましい。
【００４９】
内燃機関４０は、車幅方向に並ぶ３つの燃焼室８２を備えている。燃焼室８２は、ピストン４３の頂面と、各シリンダ７１〜７３の内周壁と、シリンダヘッド８０に形成された凹部８１とから構成されている。燃焼室８２には、燃焼室８２内の燃料に点火を行う点火装置１７（図１０参照）が設けられている。図１０に示すように、シリンダヘッド８０には、各燃焼室８２に繋がる複数の吸気ポート８３および複数の排気ポート８５が形成されている。内燃機関４０は、燃焼室８２と吸気ポート８３との間を開閉する吸気弁８４と、燃焼室８２と排気ポート８５との間を開閉する排気弁８６とを備えている。吸気ポート８３は吸気通路２８の一部を構成する。吸気通路２８は、図示しないエアクリーナに接続されている。排気ポート８５は排気通路２９の一部を構成する。排気通路２９は、シリンダヘッド８０に取り付けられた排気管１３（図１参照）とサイレンサ１４（図１参照）とを備えている。図１１に示すように、本実施形態では、１つの燃焼室８２に２つの吸気ポート８３と２つの排気ポート８５とが形成され、各吸気ポート８３に吸気弁８４が配置され、各排気ポート８５に排気弁８６が配置されている。ただし、１つの燃焼室８２に形成される吸気ポート８２および排気ポート８５は１つずつであってもよいし、相互に異なる数であってもよい。
【００５０】
図１０に示すように、シリンダヘッド８０とシリンダヘッドカバー９５との間には、左右方向に延びる吸気カムシャフト８４Ａと排気カムシャフト８６Ａとが配置されている。吸気カムシャフト８４Ａは、吸気弁８４の上端８４ｔと接触して吸気弁８４を作動させる吸気カム８４Ｂ（図１２参照）を備えている。排気カムシャフト８６Ａは、排気弁８６の上端８６ｔと接触して排気弁８６を作動させる排気カム８６Ｂ（図１２参照）を備えている。図１２に示すように、吸気カムシャフト８４Ａの右端部には、カムチェーンスプロケット８４Ｓが取り付けられている。排気カムシャフト８６Ａの右端部には、カムチェーンスプロケット８６Ｓが取り付けられている。図１３に示すように、カムチェーンスプロケット８４Ｓ、８６Ｓおよびスプロケット４２Ｓには、カムチェーン４７が巻かれている。カムチェーン４７は、クランク軸４２と連動する。
【００５１】
内燃機関４０は、カムチェーン４７を収容するカムチェーン室４６を備えている。本実施形態のカムチェーン室４６は、シリンダヘッドカバー９５と、シリンダヘッド８０と、シリンダボディ７０と、上クランクケース５０と、下クランクケース６０との全体に亘って形成されている。図８に示すように、カムチェーン室４６は、クランク室４５の右方に位置する。クラッチ室１０５は、カムチェーン室４６の後方に位置する。
【００５２】
図１４に示すように、上クランクケース５０は、第１上仕切り壁５１と第２上仕切り壁５２とを備えている。図７に示すように、第１上仕切り壁５１は、カムチェーン室４６とクランク室４５とを仕切る。第２上仕切り壁５２は、下面５２Ａを有し、カムチェーン室４６とクラッチ室１０５とを仕切る。第２上仕切り壁５２の下面５２Ａには、前後方向に延びる溝からなる第１通路５３が形成されている。第１通路５３は、カムチェーン室４６とクラッチ室１０５とを連通する。図１４に示すように、上クランクケース５０の第１上仕切り壁５１には、カムチェーン室４６とクランク室４５とを連通する第２通路５４が形成されている。第２通路５４は、シリンダボディ７０の下方に位置する。第２通路５４は、クランク軸４２の軸心４２Ｃよりも前方に位置する。第２通路５４は、バランサ軸３８の軸心３８Ｃよりも後方に位置する。
【００５３】
下クランクケース６０は、第１下仕切り壁６１と第２下仕切り壁６２とを備えている。図８に示すように、第１下仕切り壁６１は、カムチェーン室４６とクランク室４５とを仕切る。第１下仕切り壁６１は、第１上仕切り壁５１と接触する。第２下仕切り壁６２は、カムチェーン室４６とクラッチ室１０５とを仕切る。第２下仕切り壁６２は、第２上仕切り壁５２の下面５２Ａと接触する上面６２Ａを有する。第２下仕切り壁６２の上面６２Ａには、前後方向に延びる溝からなる第１通路６３が形成されている。第１通路６３は、カムチェーン室４６とクラッチ室１０５とを連通する。図１４に示すように、第１下仕切り壁６１には、カムチェーン室４６とクランク室４５とを連通するオイル通路６４が形成されている。カムチェーン室４６のオイルはオイル通路６４を介してクランク室４５に流れ、クランク室４５の下方に位置するオイルパン１８に回収される。なお、第２上仕切り壁５２の下面５２Ａと第２下仕切り壁６２の上面６２Ａとの接触には、下面５２Ａと上面６２Ａとの間にガスケット等を介在させて間接的に接触する場合を含むものとする。
【００５４】
図１５に示すように、第１通路５３、６３は、カムチェーン室４６とクラッチ室１０５とを連通する。図１６に示すように、第１通路５３の上下方向の長さは、第１通路６３の上下方向の長さよりも長い。第１通路５３の左右方向の長さと第１通路６３の左右方向の長さは実質的に同一である。なお、第１通路５３、６３の上下方向の長さは同一でもよいし、第１通路６３の方が第１通路５３よりも長くてもよい。また、第１通路５３、６３の左右方向の長さは相互に異なっていてもよい。また、第１通路５３、６３は、左右方向に相互にずれて配置されていてもよい。本実施形態では、第２上仕切り壁５２の下面５２Ａおよび第２下仕切り壁６２の上面６２Ａのいずれにも第１通路５３、６３が形成されているが、下面５２Ａおよび上面６２Ａうち少なくとも一方に第１通路が形成されていればよい。また、上記第１通路として、第２上仕切り壁５２および第２下仕切り壁６２のうち少なくとも一方を貫通し、カムチェーン室４６とクラッチ室１０５とを連通させるものであってもよい。
【００５５】
図７に示すように、上クランクケース５０は、第１通路５３の両側において、ボルトが挿入される第１ボルト挿入孔５５Ａと第２ボルト挿入孔５５Ｂとを備えている。第１ボルト挿入孔５５Ａは、第２ボルト挿入孔５５Ｂよりも左方に位置する。第１ボルト挿入孔５５Ａの直径は、第２ボルト挿入孔５５Ｂの直径よりも大きい。図８に示すように、下クランクケース６０は、第１通路６３の両側において、ボルトが挿入される第１ボルト挿入孔６５Ａと第２ボルト挿入孔６５Ｂとを備えている。第１ボルト挿入孔６５Ａは、第２ボルト挿入孔６５Ｂよりも左方に位置する。第１ボルト挿入孔６５Ａの直径は、第２ボルト挿入孔６５Ｂの直径よりも大きい。図１６に示すように、上クランクケース５０と下クランクケース６０とは、ボルト５６Ａ、５６Ｂによって相互に固定されている。
【００５６】
図５に示すように、クランク軸４２の右端部に取り付けられているスプロケット４２Ｓは、カムチェーン室４６内に収容されている。クランク軸４２のクランクギア４２Ｇは、クランク室４５に収容されている。クランク軸４２が回転しているときには、クランクギア４２Ｇとオイル通路６４とは側面視で重なることがある。クランクギア４２Ｇと第１下仕切り壁６１との間隔Ｐ１は、スプロケット４２Ｓと第１下仕切り壁６１との間隔Ｐ２よりも小さい。より詳細には、上記間隔Ｐ１、Ｐ２はそれぞれ、クランク軸４２の軸心４２Ｃ上のクランクギア４２Ｇと第１下仕切り壁６１との間隔、クランク軸４２の軸心４２Ｃ上のスプロケット４２Ｓと第１下仕切り壁６１との間隔である。
【００５７】
図９に示すように、内燃機関４０は、発電機６７を備えている。発電機６７は、クランク軸４２の左端部に取り付けられている。図６に示すように、上クランクケース５０および下クランクケース６０は、発電機６７を収容する発電機室６８を備えている。図５に示すように、発電機室６８は、クランク室４５の左方に位置する。発電機室６８には、ウォーターポンプ１６を駆動する樹脂ギア６６が配置されている。バランサ軸３８の左端部にはギア３８Ｈが固定されている。ギア３８Ｈは、樹脂ギア６６と噛み合っている。そのため、ウォーターポンプ１６は、バランサ軸３８と連動する。図６に示すように、上クランクケース５０は、第３上仕切り壁６９Ａを備えている。図７に示すように、第３上仕切り壁６９Ａは、発電機室６８とクランク室４５とを仕切る。下クランクケース６０は、第３下仕切り壁６９Ｂを備えている。図８に示すように、第３下仕切り壁６９Ｂは、発電機室６８とクランク室４５とを仕切る。図６に示すように、第３上仕切り壁６９Ａは、後述の第１連通孔７７の出口７７Ｅを有している。出口７７Ｅは、樹脂ギア６６の上方に配置されている。出口７７Ｅは、樹脂ギア６６の中心６６Ｃよりも前方に配置されている。第３下仕切り壁６９Ｂには、発電機室６８とクランク室４５とを連通するオイル通路６９Ｐが形成されている。シリンダボディ７０から第１連通孔７７および出口７７Ｅを介して発電機室６８に流れ込んだオイルは、樹脂ギア６６に供給された後、オイル通路６９Ｐを介してクランク室４５に流れ、クランク室４５の下方に位置するオイルパン１８に回収される。図１７に示すように、クランク軸４２の下方には、第３下仕切り壁６９Ｂから延びるリブ６９Ｒが形成されている。このため、クランク軸４２の回転による影響を受けることなく、発電機室６８のオイルは図１７の矢印Ｘの方向に良好に流れ、オイルパン１８に回収される。
【００５８】
図１８に示すように、内燃機関４０は、シリンダボディ７０と、シリンダボディ７０の上方に位置するシリンダヘッド８０と、シリンダボディ７０とシリンダヘッド８０とを位置決めする筒状の第１ノックピン８７および筒状の第２ノックピン８８を備えている。
【００５９】
図１９に示すように、シリンダボディ７０は、シリンダヘッド８０に取り付けられる取付面７６を備えている。シリンダボディ７０は、左右方向に並ぶ第１シリンダ７１、第２シリンダ７２、および第３シリンダ７３を備えている。カムチェーン室４６は、最も右に配置された第３シリンダ７３の右方に配置されている。シリンダボディ７０は、各シリンダ７１〜７３を囲み、冷却水が流通する水通路７４を備えている。シリンダボディ７０は、水通路７４の周囲に形成された複数のボルト挿入孔７５を備えている。シリンダボディ７０は、第１連通孔７７と、第２連通孔７８とを備えている。各シリンダ７１〜７３、水通路７４、ボルト挿入孔７５、第１連通孔７７および第２連通孔７８は、取付面７６にて開口している。
【００６０】
シリンダボディ７０の取付面７６において、第１シリンダ７１の軸心７１Ｃと第２シリンダ７２の軸心７２Ｃと第３シリンダ７３の軸心７３Ｃとを通る直線を第１直線Ｌ１とし、第２シリンダ７２の軸心７２Ｃを通りかつ第１直線Ｌ１と直交する直線を第２直線Ｌ２とする。なお、第２直線Ｌ２は、最も左に配置された第１シリンダ７１の軸心７１Ｃと最も右に配置された第３シリンダ７３の軸心７３Ｃとの間の中間点を通ればよく、本実施形態ではその中間点が第２シリンダ７２の軸心７２Ｃと一致している。第１直線Ｌ１の前方かつ第２直線Ｌ２の左方の領域を左前領域とし、第１直線Ｌ１の後方かつ第２直線Ｌ２の左方の領域を左後領域とし、第１直線Ｌ１の前方かつ第２直線Ｌ２の右方の領域を右前領域とし、第１直線Ｌ１の後方かつ第２直線Ｌ２の右方の領域を右後領域とする。第１連通孔７７は左前領域に配置されかつ第２連通孔７８は右後領域に配置されている。
【００６１】
第１連通孔７７および第２連通孔７８は、シリンダボディ７０の前後方向で、ボルト挿入孔７５よりも第１直線Ｌ１から離れた位置に形成されている。第１連通孔７７は、ボルト挿入孔７５よりも前方に位置する。第１連通孔７７は、最も左に配置された第１シリンダ７１の軸心７１Ｃよりも左方に配置されているのが好ましい。第１連通孔７７は、最も左に配置された第１シリンダ７１の前方に配置されているのが好ましい。第２連通孔７８は、ボルト挿入孔７５よりも後方に位置する。第２連通孔７８は、最も右に配置された第３シリンダ７３の軸心７３Ｃよりも右方に配置されているのが好ましい。第２連通孔７８は、最も右に配置された第３シリンダ７３の後方に配置されているのが好ましい。シリンダボディ７０の取付面７６において、第１連通孔７７の直径Ａ１（後述の第１メイン連通孔７７Ａの内径Ａ１）および第２連通孔７８の直径Ｂ１（後述の第２メイン連通孔７８Ａの内径Ｂ１）は、ボルト挿入孔７５の直径Ｃ１よりも大きい。シリンダボディ７０の取付面７６において、第１連通孔７７の直径Ａ１および第２連通孔７８の直径Ｂ１は、水通路７４の溝幅よりも大きい。上記溝幅は、例えば、水通路７４のうち、第１直線Ｌ１および／または第２直線Ｌ２と重なる部分の溝幅Ｄ１である。図２０に示すように、第１連通孔７７の上端７７Ｔは、第２連通孔７８の上端７８Ｔよりも下方に配置されている。本実施形態では、第１連通孔７７は、第１シリンダ７１の軸心７１Ｃよりも左方に配置されているが、第１連通孔７７は、上記左前領域に配置されていればよいため、例えば、第１シリンダ７１の軸心７１Ｃと第２シリンダ７２の軸心７２Ｃとの間に配置されていてもよい
。また、本実施形態では、第２連通孔７８は、第１シリンダ７３の軸心７３Ｃよりも右方に配置されているが、第２連通孔７８は、上記右後領域に配置されていればよいため、例えば、第３シリンダ７３の軸心７３Ｃと第２シリンダ７２の軸心７２Ｃとの間に配置されていてもよい。４つ以上のシリンダを備える多気筒のエンジンの場合には、第１連通孔および第２連通孔の少なくともいずれかは、シリンダ間に配置されていることが好ましい。
【００６２】
図２１に示すように、第１連通孔７７は、第１メイン連通孔７７Ａと、第１メイン連通孔７７Ａの内径Ａ１よりも大きい内径Ａ２を有する第１サブ連通孔７７Ｂとを備えている。第１ノックピン８７は、第１サブ連通孔７７Ｂに嵌め込まれている。第１ノックピン８７の外径Ａ３は、第１メイン連通孔７７Ａの内径Ａ１よりも大きい。第１ノックピン８７の外径Ａ３は、第１サブ連通孔７７Ｂの内径Ａ２以下である。第１連通孔７７の軸心７７Ｃと第１ノックピン８７の軸心８７Ｃとは一致することが好ましい。第１ノックピン８７の内径Ａ４は、第１メイン連通孔７７Ａの内径Ａ１と同一であることが好ましい。
【００６３】
図２２に示すように、第２連通孔７８は、第２メイン連通孔７８Ａと、第２メイン連通孔７８Ａの内径Ｂ１よりも大きい内径Ｂ２を有する第２サブ連通孔７８Ｂとを備えている。第２ノックピン８８は、第２サブ連通孔７８Ｂに嵌め込まれている。第２ノックピン８８の外径Ｂ３は、第２メイン連通孔７８Ａの内径Ｂ１よりも大きい。第２ノックピン８８の外径Ｂ３は、第２サブ連通孔７８Ｂの内径Ｂ２以下である。第２連通孔７８の軸心７８Ｃと第２ノックピン８８の軸心８８Ｃとは一致することが好ましい。第２ノックピン８８の内径Ｂ４は、第２メイン連通孔７８Ａの内径Ｂ１と同一であることが好ましい。
【００６４】
図１９に示すように、シリンダボディ７０にはオイル供給孔７９が形成されている。オイルパン１８のオイルは、オイル供給孔７９を介してシリンダヘッド８０へと供給される。オイル供給孔７９は、第１連通孔７７よりも後方かつ第２連通孔７８よりも前方に位置している。オイル供給孔７９は、第１直線Ｌ１よりも後方に位置している。オイル供給孔７９は、第２連通孔７８よりも右方に位置している。
【００６５】
図１１に示すように、シリンダヘッド８０は、シリンダボディ７０に取り付けられる取付面９２と、第１通路９３と、第２通路９４とを備えている。第１通路９３および第２通路９４は、取付面９２にて開口している。第１通路９３は、シリンダボディ７０の第１連通孔７７と連通する。第２通路９４は、シリンダボディ７０の第２連通孔７８と連通する。第１通路９３および第２通路９４には、オイルおよび空気の少なくともいずれかが流通する。本実施形態では、第１通路９３には主としてオイルが流通し、第２通路９４には主として空気が流通する。
【００６６】
シリンダヘッド８０は、シリンダボディ７０の水通路７４と連通する複数の水通路９０を備えている。シリンダヘッド８０は、水通路９０の周囲に形成された複数のボルト挿入孔９１を備えている。水通路９０およびボルト挿入孔９１は、取付面９２にて開口している。シリンダヘッド８０は、複数のボルト挿入孔９１に挿入されたボルト（図示せず）によりシリンダボディ７０に固定されている。カムチェーン室４６は、第２通路９４の右方に配置されている。シリンダヘッド８０にはオイル供給孔８９が形成されている。オイル供給孔８９は、シリンダボディ７０のオイル供給孔７９と連通する。オイル供給孔８９は、第１通路９３よりも後方かつ第２通路９４よりも前方に位置している。オイル供給孔８９は、吸気ポート８３よりも後方に位置している。オイル供給孔８９は、第２通路９４の右方に位置している。
【００６７】
図１８に示すように、第１ノックピン８７は、第１連通孔７７および第１通路９３に嵌め込まれている。第１連通孔７７および第１通路９３は、第１ノックピン８７を介して連通している。第２ノックピン８８は、第２連通孔７８および第２通路９４に嵌め込まれている。第２連通孔７８および第２通路９４は、第２ノックピン８８を介して連通している。第１ノックピン８７は、第２ノックピン８８よりも下方に配置されている。シリンダボディ７０とシリンダヘッド８０とを位置決めするノックピンは、上記第１ノックピン８７および第２ノックピン８８のみである。
【００６８】
第２連通孔７８の上端は、シリンダボディ７０の取付面７６に開口し、第２連通孔７８の下端は、クランク室４５に開口している。第２連通孔７８は、クランク室４５とシリンダヘッド８０の内部とを連通する。クランク室４５内の空気は、図１８の矢印Ｙに示すように、第２連通孔７８および第２ノックピン８８および第２通路９４を介してシリンダヘッド８０へと流れ込む。
【００６９】
オイルパン１８（図１参照）に貯留されているオイルは、図示しないオイルポンプによって図１８の矢印Ｚ１に示すようにクランク軸４２に供給される。クランク軸４２に供給されたオイルの一部は、図１８の矢印Ｚ２に示すようにバランサ軸３８に供給される。クランク軸４２に供給されたオイルの他の一部は、図１８の矢印Ｚ３に示すように上クランクケース５０およびシリンダボディ７０のオイル供給孔７９およびシリンダヘッド８０のオイル供給孔８９に供給される。オイル供給孔８９に供給されたオイルは、図１８の矢印Ｚ４および矢印Ｚ５に示すように、カムキャップ（図示せず）およびオイル通路９５Ｐを介して吸気カムシャフト８４Ａおよび排気カムシャフト８６Ａへと供給される。吸気カムシャフト８４Ａおよび排気カムシャフト８６Ａへと供給されたオイルの一部は、シリンダボディ７０を流通して、図１８の矢印Ｚ６に示すように第１通路９３へと流れ込む。第１通路９３へと流れ込んだオイルは、図１８の矢印Ｚ７に示すように第１ノックピン８７および第１連通孔７７を介して発電機室６８（図６参照）に流れ込み、オイルパン１８に回収される。吸気カムシャフト８４Ａおよび排気カムシャフト８６Ａへと供給されたオイルの他の一部は、カムチェーン室４６（図１３参照）に流れ込む。カムチェーン室４６のオイルはオイル通路６４を介してクランク室４５に流れ、クランク室４５の下方に位置するオイルパン１８に回収される。
【００７０】
本実施形態では、上クランクケース５０とシリンダボディ７０とは一体的に成形されているが、上クランクケースとシリンダボディ７０とが別体の場合には、内燃機関４０は、上クランクケース５０とシリンダボディ７０との間に、上クランクケース５０とシリンダボディ７０とを位置決めする筒状のノックピンを二つ備える。ノックピンの一つは第１連通孔７７に嵌め込まれ、ノックピンの他の一つは第２連通孔７８に嵌め込まれる。
【００７１】
図２３に示すように、上クランクケース５０は、左右に延びるボス部１２０を備えている。ボス部１２０には、左右方向に延びる孔１２２が形成されている。図３に示すように、ボス部１２０は、左メインフレーム２２と右メインフレーム３２との間に配置されている。左メインフレーム２２に形成された第１左挿入孔２３Ａと右メインフレーム３２に形成された第１右挿入孔３３Ａとボス部１２０の孔１２２とに、左右に延びる棒状の締結具１４０が挿入されている。締結具１４０によって、上クランクケース５０のボス部１２０は、左メインフレーム２２および右メインフレーム３２に固定されている。図１４に示すように、ボス部１２０は、クラッチ室１０５よりも後方に配置されている。
【００７２】
図２４に示すように、下クランクケース６０は、左右に延びる左ボス部１３０と、左右に延びる右ボス部１３４とを備えている。左ボス部１３０には、左右方向に延びる孔１３２が形成されている。右ボス部１３４には、左右方向に延びる孔１３６が形成されている。図４に示すように、左ボス部１３０は、左メインフレーム２２と右メインフレーム３２との間に配置されている。右ボス部１３４は、左メインフレーム２２と右メインフレーム３２との間かつ左ボス部１３０の右方に配置されている。左メインフレーム２２に形成された第２左挿入孔２３Ｂと右メインフレーム３２に形成された第２右挿入孔３３Ｂと左ボス部１３０の孔１３２と右ボス部１３４の孔１３６とに、左右に延びる棒状の締結具１５０が挿入されている。締結具１５０によって、下クランクケース６０の左ボス部１３０は左メインフレーム２２に固定され、右ボス部１３４は右メインフレーム３２に固定されている。本実施形態では、上クランクケース５０はボス部１２０を備え、下クランクケース６０は左ボス部１３０と右ボス部１３４とを備えていたが、上クランクケース５０および下クランクケース６０の少なくとも一方がボス部を備えていればよい。また、上クランクケース５０は、下クランクケース６０のように左右のボス部を備えていてもよいし、下クランクケース６０は、上クランクケース５０のように一つのボス部を備えていてもよい。
【００７３】
図２５に示すように、下クランクケース６０は、左右方向に延びるオイル通路１６０を備えている。オイル通路１６０は、下クランクケース６０と一体に形成されている。オイル通路１６０には、ドライブ軸１１８に供給されるオイルが流通する。本実施形態では、オイル通路１６０の左端１６０Ｌは、左ボス部１３０よりも左方に位置する。オイル通路１６０の右端１６０Ｒは、右ボス部１３４よりも右方に位置する。ただし、車両背面視において、オイル通路１６０の少なくとも一部は、左ボス部１３０と右ボス部１３４との間に位置していればよく、例えば、オイル通路１６０の左端１６０Ｌが左ボス部１３０よりも右方に位置し、オイル通路１６０の右端１６０Ｒが右ボス部１３４よりも左方に位置していてもよい。また、オイル通路１６０の左端１６０Ｌが左ボス部１３０に連結し、オイル通路１６０の右端１６０Ｒが右ボス部１３４に連結していてもよい。図６に示すように、オイル通路１６０は、ドライブ軸１１８よりも下方かつ左ボス部１３０よりも上方に配置されている。オイル通路１６０は、車両側面視において、オイル通路１６０の中心１６０Ｃが左ボス部１３０の中心１３０Ｃよりも上方かつドライブ軸１１８の中心（軸心）１１８Ｃよりも下方に位置するように配置されている。オイル通路１６０は、車両側面視において、左ボス部１３０の中心１３０Ｃとオイル通路１６０の中心１６０Ｃとの距離Ｔ１が左ボス部１３０の中心１３０Ｃとドライブ軸１１８の中心１１８Ｃとの距離Ｔ２よりも短くなるように配置されている。オイル通路１６０は、車両側面視において、メイン軸１０８のギア１０８Ｇおよびドライブ軸１１８のギア１１８Ｇと重なっていない。本実施形態では、オイル通路１６０は、車両側面視において、オイル通路１６０の中心１６０Ｃが左ボス部１３０の中心１３０Ｃよりも前方かつドライブ軸１１８の中心１１８Ｃよりも後方に位置するように配置されている。ただし、車両側面視において、オイル通路１６０の中心１６０Ｃと左ボス部１３０の中心１３０Ｃとが重なるようにオイル通路１６０が配置されていてもよい。また、車両側面視において、オイル通路１６０の中心１６０Ｃが左ボス部１３０の孔１３２と重なるようにオイル通路１６０が配置されていてもよい。
【００７４】
図８に示すように、オイル通路１６０は、車両平面視において、ドライブ軸１１８と重なるように配置されている。オイル通路１６０は、車両平面視において、オイル通路１６０の一部と左ボス部１３０の一部および右ボス部１３４の一部とが重なるように配置されている。図２５に示すように、オイル通路１６０は、車両背面視において、オイル通路１６０の一部と第１リブ１３３の一部および第２リブ１３７の一部とが重なるように配置されている。本実施形態では、図２５に示すように、オイル通路１６０は、左ボス部１３０および右ボス部１３４よりも上方に配置されており、車両背面視において、オイル通路１６０と左ボス部１３０および右ボス部１３４とは重なっていないが、車両背面視において、オイル通路１６０と左ボス部１３０および右ボス部１３４とが重なっていてもよい。
【００７５】
図８に示すように、変速機室１１５は、前壁１１５Ａと、左壁１１５Ｂと、右壁１１５Ｃと、後壁１１５Ｄとを備えている。左壁１１５Ｂは、前壁１１５Ａから後方に延びる。右壁１１５Ｃは、左壁１１５Ｂの右方に位置し、前壁１１５Ａから後方に延びる。後壁１１５Ｄは、左壁１１５Ｂの後端部と右壁１１５Ｃの後端部とを連結する。図２４に示すように、後壁１１５Ｄには、左ボス部１３０が備えられた第１リブ１３３と、右ボス部１３４が備えられた第２リブ１３７とが形成されている。第１リブ１３３および第２リブ１３７は、それぞれ後壁１１５Ｄから後方かつ上下方向に延びる。オイル通路１６０は、第１リブ１３３および第２リブ１３７と交差している。図６に示すように、第１リブ１３３の前端部１３３Ａは、オイル通路１６０よりも前方に配置されている。
【００７６】
図２４に示すように、オイル通路１６０は、下クランクケース６０の外表面の一部を構成する第１外壁１６２を備えている。本実施形態では、第１外壁１６２は、変速機室１１５の後壁１１５Ｄの外表面の一部を構成している。図８に示すように、オイル通路１６０は、下クランクケース６０の内方に位置し、変速機室１１５の一部を構成する第２外壁１６４を備えている。本実施形態では、第２外壁１６４は、変速機室１１５の後壁１１５Ｄの一部を構成している。
【００７７】
図２６に示すように、下クランクケース６０は、ドライブ軸１１８（図５参照）を支持するドライブ軸支持面１７０、１７４を備えている。ドライブ軸支持面１７０には、オイルが流通するオイル溝１７２が形成されている。ドライブ軸支持面１７４には、オイルが流通するオイル溝１７６が形成されている。図２５に示すように、下クランクケース６０は、オイル通路１６０とオイル溝１７２とを連通する第１連通路１７３と、オイル通路１６０とオイル溝１７６とを連通する第２連通路１７７と、を備えている。図７に示すように、上クランクケース５０は、ドライブ軸１１８（図５参照）を支持するドライブ軸支持面１８０、１８４を備えている。ドライブ軸支持面１８０には、オイルが流通するオイル溝１８２が形成されている。
【００７８】
図５に示すように、図示しないオイルポンプによって、ドライブ軸支持面１７０に形成されたオイル溝１７２（図２６参照）を介して第１連通路１７３にオイルが供給される。第１連通路１７３に供給されたオイルは、図５の矢印Ｋに示すように、オイル通路１６０および第２連通路１７７およびオイル溝１７６（図２６参照）を流れる。オイル溝１７６に供給されたオイルの一部は、ドライブ軸１１８の内部を流れて、ドライブ軸１１８の各ギア１１８Ｇに供給される。
【００７９】
本実施形態では、ドライブ軸１１８に供給されるオイルが流通するオイル通路１６０は、下クランクケース６０のみに形成されていたが、上クランクケース５０のみに形成してもよいし、上クランクケース５０および下クランクケース６０のいずれにも形成してもよい。
【００８０】
上述したように、本実施形態に係る自動二輪車１では、ドライブ軸１１８に供給されるオイルが流通するオイル通路１６０は、シリンダボディ７０の下方に位置する下クランクケース６０と一体に形成されている。このため、オイル通路１６０を別部材で形成する必要が無く、部品の削減によるコストダウンおよび軽量化が実現される。また、シリンダボディ７０は、左右に配置された複数のシリンダ７１〜７３を備えているため、高回転高出力を実現することができる。
【００８１】
本実施形態によれば、図２４に示すように、オイル通路１６０が形成された下クランクケース６０は、下クランクケース６０の外壁１１５Ｄから外方に突出し、左ボス部１３０が形成された第１リブ１３３と右ボス部１３４が形成された第２リブ１３７とを備える。このように、第１リブ１３３および第２リブ１３７が設けられていることによって、左ボス部１３０および右ボス部１３４にねじれが発生することは防止される。
【００８２】
本実施形態によれば、図２５に示すように、オイル通路１６０は、車両背面視において、オイル通路１６０の一部と第１リブ１３３の一部および第２リブ１３７の一部とが重なるように配置される。これにより、内燃機関４０の高さ方向の拡大を抑制することができる。
【００８３】
本実施形態によれば、図４および図２５に示すように、下クランクケース６０は、左メインフレーム２２と右メインフレーム３２との間に配置され、締結具１５０により左メインフレーム２２に固定される左ボス部１３０と、左メインフレーム２２と右メインフレーム３２との間に配置され、締結具１５０により右メインフレーム３２に固定される右ボス部１３４と、を有し、車両背面視において、オイル通路１６０の少なくとも一部は、左ボス部１３０と右ボス部１３４との間に位置する。これにより、左ボス部１３０が形成された第１リブ１３３および右ボス部１３４が形成された第２リブ１３７の強度が高くなる。
【００８４】
本実施形態によれば、図２６に示すように、オイル通路１６０は、下クランクケース６０の外表面の一部を構成する第１外壁１６２を備えている。このように、オイル通路１６０の第１外壁１６２と下クランクケース６０の外表面の一部とが同じ部材によって構成されるため、これらの部材が異なる部材である場合と比べて、下クランクケース６０内のスペースが大きくなる。これにより、部材のレイアウトの自由度が向上する。
【００８５】
本実施形態によれば、図７および図８に示すように、上クランクケース５０および下クランクケース６０は、クランク軸４２を収容するクランク室４５と、ドライブ軸１１８を収容する変速機室１１５と、を備え、オイル通路１６０は、下クランクケース６０の内方に位置し、変速機室１１５の一部を構成する第２外壁１６４を備えている。このように、オイル通路１６０の第２外壁１６４と変速機室１１５一部とが同じ部材によって構成されるため、これらの部材が異なる部材である場合と比べて、下クランクケース６０内のスペースが大きくなる。これにより、部材のレイアウトの自由度が向上する。
【００８６】
本実施形態によれば、図８に示すように、変速機室１１５の左右方向の長さＨ１は、クランク室４５の左右方向の長さＨ２よりも短く、オイル通路１６０の第２外壁１６４は、下クランクケース６０の変速機室１１５一部を構成する。これにより、オイル通路１６０をコンパクト化することができる。
【００８７】
本実施形態によれば、図２６に示すように、変速機室１１５は、前壁１１５Ａと、前壁１１５Ａから後方に延びる左壁１１５Ｂと、前壁１１５Ａから後方に延びる右壁１１５Ｃと、左壁１１５Ｂと右壁１１５Ｃとを連結する後壁１１５Ｄと、を有し、後壁１１５Ｄには、後壁１１５Ｄから後方かつ上下方向に延び、左ボス部１３０が備えられた第１リブ１３３と右ボス部１３４が備えられた第２リブ１３７が形成され、オイル通路１６０は、第１リブ１３３および第２リブ１３７と交差している。左ボス部１３０が備えられた第１リブ１３３および右ボス部１３４が備えられた第２リブ１３７は、オイル通路１６０と交差しているため、第１リブ１３３および第２リブ１３７の強度は増加する。これにより、左ボス部１３０および右ボス部１３４の剛性が高まる。
【００８８】
本実施形態によれば、図６に示すように、オイル通路１６０は、車両側面視において、左ボス部１３０の中心１３０Ｃとオイル通路１６０の中心１６０Ｃとの距離Ｔ１が左ボス部１３０の中心１３０Ｃとドライブ軸１１８の中心１１８Ｃとの距離Ｔ２よりも短くなるように配置されている。このように、オイル通路１６０が下クランクケース６０の限られた空間にコンパクトに配置されるため、内燃機関４０の大型化が抑制される。
【００８９】
本実施形態によれば、図６に示すように、オイル通路１６０は、車両側面視において、オイル通路１６０の中心１６０Ｃが左ボス部１３０の中心１３０Ｃよりも前方かつドライブ軸１１８の中心１１８Ｃよりも後方に位置するように配置されている。このように、オイル通路１６０が下クランクケース６０の限られた空間にコンパクトに配置されるため、内燃機関４０の大型化が抑制される。
【００９０】
本実施形態によれば、内燃機関４０は、ドライブ軸１１８に設けられた第１ギア１１８Ｇを備え、オイル通路１６０は、車両平面視において、ドライブ軸１１８および第１ギア１１８の少なくともいずれかと重なるように配置されている。これにより、内燃機関４０の大型化が抑制されると共に、オイル通路１６０を除く部材のレイアウトの自由度が向上される。
【００９１】
本実施形態によれば、図６に示すように、クランク軸４２よりも後方かつドライブ軸１１８よりも前方に配置されたメイン軸１０８と、メイン軸１０８に設けられ、ギア１１８Ｇと噛み合うギア１０８Ｇと、を備え、車両側面視において、オイル通路１６０は、ギア１０８Ｇおよびギア１１８Ｇと重なっていない。これにより、ギア１０８Ｇおよびギア１１８Ｇの形状に関わらずオイル通路１６０を配置することができるので、オイル通路１６０のレイアウトの自由度が向上される。
【００９２】
本実施形態によれば、図８に示すように、オイル通路１６０は、車両平面視において、オイル通路１６０の一部と左ボス部１３０および右ボス部１３４の一部とが重なるように配置されている。これにより、内燃機関４０の大型化が抑制される。
【００９３】
本実施形態によれば、図７および図８に示すように、上クランクケース５０は、ドライブ軸１１８を支持するドライブ軸支持面１８０、１８４を備え、ドライブ軸支持面１８０には、オイルが流通するオイル溝１８２が形成され、下クランクケース６０は、ドライブ軸１１８を支持するドライブ軸支持面１７０、１７４を備え、ドライブ軸支持面１７０、１７４には、オイルが流通するオイル溝１７２が形成され、下クランクケース６０と一体に形成され、オイル通路１６０とオイル溝１７２とを連通する第１連通路１７３および第２連通路１７７を備えている。このように、ドライブ軸支持面１７０、１７４にオイル溝１７２を形成することができるため、オイル溝１７２に絞りを設けてオイルの供給量を簡単に調整することができる。
【００９４】
本実施形態によれば、図６に示すように、オイル通路１６０は、下クランクケース６０と一体に形成され、車両側面視において、オイル通路１６０の中心１６０Ｃが左ボス部１３０の中心１３０Ｃよりも上方かつドライブ軸１１８の中心１１８Ｃよりも下方に位置するように配置されている。このように、左ボス部１３０がドライブ軸１１８およびオイル通路１６０よりも下方に位置しているため、下クランクケース６０の左メインフレーム２２および右メインフレーム３２に対する安定性が向上する。
【符号の説明】
【００９５】
４０  内燃機関
４２  クランク軸
４５  クランク室
５０  上クランクケース
６０  下クランクケース
７０  シリンダボディ
１０８  メイン軸
１１５  変速機室
１１５Ｄ  変速機室の後壁
１１８  ドライブ軸
１３０  左ボス部
１３３  第１リブ
１３４  右ボス部
１３７  第２リブ
１５０  締結具
１６０  オイル通路
１７２  オイル溝
１７３  第１連通路
１７７  第２連通路
【図１】
2014227925.tif 000003
【図２】
2014227925.tif 000004
【図３】
2014227925.tif 000005
【図４】
2014227925.tif 000006
【図５】
2014227925.tif 000007
【図６】
2014227925.tif 000008
【図７】
2014227925.tif 000009
【図８】
2014227925.tif 000010
【図９】
2014227925.tif 000011
【図１０】
2014227925.tif 000012
【図１１】
2014227925.tif 000013
【図１２】
2014227925.tif 000014
【図１３】
2014227925.tif 000015
【図１４】
2014227925.tif 000016
【図１５】
2014227925.tif 000017
【図１６】
2014227925.tif 000018
【図１７】
2014227925.tif 000019
【図１８】
2014227925.tif 000020
【図１９】
2014227925.tif 000021
【図２０】
2014227925.tif 000022
【図２１】
2014227925.tif 000023
【図２２】
2014227925.tif 000024
【図２３】
2014227925.tif 000025
【図２４】
2014227925.tif 000026
【図２５】
2014227925.tif 000027
【図２６】
2014227925.tif 000028